(57)【要約】【課題】非常に容易に且つ正確にＩＤ設定を行うことができ、作業者にも又来訪者にも使い勝手の良いインターホン装置を提供する。【解決手段】制御機７では、住戸端末５で設定されたＩＤを記憶する際、当該ＩＤに対応させて固有の識別表示を作成し、玄関機３へ送信する。さらに、玄関機３では、識別表示を受信すると、来訪者による呼出操作時に識別表示を選択肢の１つとして表示する。そして、来訪者により１つの識別表示が選択されると、制御機７において、その識別表示に対応するＩＤを有する住戸端末５が識別されて呼び出される。つまり、住戸端末５を呼び出すにあたり、来訪者は、タッチパネル式モニター１７に表示されている識別表示から所望の識別表示を選択するだけで良いため、住戸端末５の呼び出し間違い等が起こりにくく、使い勝手が良い。【選択図】図１
2010177937.tif 000002
【特許請求の範囲】
【請求項１】
集合住宅のエントランスに設置されて居住者を呼び出すための玄関機と、各住戸に設置されて前記玄関機からの呼び出しに応答するための居室端末と、各機器間の通信を制御する制御機とからなり、前記玄関機及び前記居室端末に表示手段を設けた集合住宅インターホンシステムであって、
前記居室端末に、
文字を複数記憶する端末記憶手段と、
前記表示手段に表示された複数の前記文字から任意の文字又は文字の組み合わせを入力する端末入力手段と、
前記文字を前記表示手段に表示させるとともに、前記端末入力手段により入力された前記文字又は前記文字の組み合わせにもとづいてＩＤを設定し、前記端末記憶手段に記憶するとともに、当該ＩＤを前記制御機へ送信する端末制御手段とを設ける一方、
前記制御機に、
前記ＩＤと識別表示とを対応付けて記憶する制御機記憶手段と、
受信したＩＤに対応させて識別表示を作成し、前記識別表示を前記玄関機へ送信するとともに、前記玄関機からの呼出信号にもとづいて前記住戸端末を呼び出す制御機制御手段とを設け、
前記玄関機に、
前記識別表示を記憶する玄関機記憶手段と、
前記表示手段に表示された複数の前記識別表示から１つの識別表示を選択し入力する玄関機入力手段と、
呼び出し操作時に前記識別表示を前記表示手段に表示するとともに、前記玄関機入力手段により１つの前記識別表示が選択されると、前記制御機へ送信する呼出信号に当該識別表示に係る情報を含める玄関機制御手段とを設けた
ことを特徴とする集合住宅インターホンシステム。
【請求項２】
集合住宅のエントランスに設置されて居住者を呼び出すための玄関機と、各住戸に設置されて前記玄関機からの呼び出しに応答するための居室端末と、各機器間の通信を制御する制御機とからなり、前記玄関機及び前記居室端末に表示手段を設けた集合住宅インターホンシステムであって、
前記居室端末に、
文字を複数記憶する端末記憶手段と、
前記表示手段に表示された複数の前記文字から任意の文字又は文字の組み合わせを入力する端末入力手段と、
前記文字を前記表示手段に表示させるとともに、前記端末入力手段により入力された前記文字又は前記文字の組み合わせにもとづいてＩＤを設定し、前記端末記憶手段に記憶するとともに、当該ＩＤを前記制御機へ送信する端末制御手段とを設ける一方、
前記制御機に、
受信したＩＤを記憶する制御機記憶手段と、
前記ＩＤを受信すると前記玄関機へ送信する一方、前記玄関機からの呼出信号にもとづいて前記住戸端末を呼び出す制御機制御手段とを設け、
前記玄関機に、
前記ＩＤと識別表示とを対応付けて記憶する玄関機記憶手段と、
前記表示手段に表示された複数の前記識別表示から１つの識別表示を選択し入力する玄関機入力手段と、
受信したＩＤに対応させて識別表示を作成するとともに、呼び出し操作時に前記識別表示を前記表示手段に表示し、前記玄関機入力手段により１つの前記識別表示が選択されると、当該識別表示に対応するＩＤを前記制御機へ送信する呼出信号に含める玄関機制御手段とを設けた
ことを特徴とする集合住宅インターホンシステム。
【請求項３】
前記制御機制御手段は、前記住戸端末からＩＤを受信すると、前記制御機記憶手段に既に記憶されているＩＤと受信したＩＤとに重複があるか否かを判断するとともに、重複がある場合には受信したＩＤの送信元となる前記住戸端末へエラー信号を送信する一方、
前記住戸端末に、前記エラー信号を受信すると、前記端末入力手段により入力された文字又は文字の組み合わせが既に使用されている旨を報知する報知手段を設けたことを特徴とする請求項１又は２に記載の集合住宅インターホンシステム。
【発明の詳細な説明】
【技術分野】
【０００１】
本発明は、集合住宅のエントランス等に設置される玄関機と、各住戸に設置される住戸端末と、玄関機と住戸端末との間に介在される制御機とからなる集合住宅インターホンシステムに関するものである。
【背景技術】
【０００２】
従来周知の集合住宅インターホンシステムにおいては、１つの制御機に対して複数の住戸端末が接続されることになる。このような集合住宅インターホンシステムにおける制御機及び各住戸端末では、たとえば特許文献１に記載されているような方法で呼び出しのためのＩＤを設定していた。つまり、制御機側で予め各住戸端末毎にＩＤを設定する（たとえば、部屋番号に対応させてＩＤを設定する）とともに、各住戸端末側においても制御機に設定されているＩＤと同じＩＤを設定（たとえば設定スイッチ等により）していた。そして、来訪者により玄関機において呼出操作される（たとえば、テンキー等にて部屋番号が入力される）と、制御機は、記憶しているＩＤにもとづいて呼び出し対象となる住戸端末を識別し呼び出していた。
【先行技術文献】
【特許文献】
【０００３】
【特許文献１】特開２００３−２７４０２８号公報
【発明の概要】
【発明が解決しようとする課題】
【０００４】
しかしながら、上記集合住宅インターホンシステムによれば、ＩＤ設定の作業に係り、制御機と各住戸端末との両方で一々ＩＤ設定作業を行わなければならず、ＩＤ設定作業が煩わしいという問題があるし、ＩＤの設定ミス（制御機側と住戸端末側とでＩＤが不一致となる事態）が生じやすいという問題もある。また、来訪者からすると、所望の住戸端末を呼び出すためには、その住戸端末を呼び出すための玄関機での入力態様を正確に憶えておく必要があり煩わしいし、入力ミスにより誤って所望していない住戸端末を呼び出してしまう事態も起きやすい。すなわち、使い勝手の点で課題を抱えていた。
【０００５】
そこで、本発明は、上記問題に鑑みなされたものであって、非常に容易に且つ正確にＩＤ設定を行うことができ、作業者にも又来訪者にも使い勝手の良いインターホン装置を提供しようとするものである。
【課題を解決するための手段】
【０００６】
上記目的を達成するために、本発明のうち請求項１に記載の発明は、集合住宅のエントランスに設置されて居住者を呼び出すための玄関機と、各住戸に設置されて玄関機からの呼び出しに応答するための居室端末と、各機器間の通信を制御する制御機とからなり、玄関機及び居室端末に表示手段を設けた集合住宅インターホンシステムであって、居室端末に、文字を複数記憶する端末記憶手段と、表示手段に表示された複数の文字から任意の文字又は文字の組み合わせを入力する端末入力手段と、文字を表示手段に表示させるとともに、端末入力手段により入力された文字又は文字の組み合わせにもとづいてＩＤを設定し、端末記憶手段に記憶するとともに、当該ＩＤを制御機へ送信する端末制御手段とを設ける一方、制御機に、ＩＤと識別表示とを対応付けて記憶する制御機記憶手段と、受信したＩＤに対応させて識別表示を作成し、識別表示を玄関機へ送信するとともに、玄関機からの呼出信号にもとづいて住戸端末を呼び出す制御機制御手段とを設け、玄関機に、識別表示を記憶する玄関機記憶手段と、表示手段に表示された複数の識別表示から１つの識別表示を選択し入力する玄関機入力手段と、呼び出し操作時に識別表示を表示手段に表示するとともに、玄関機入力手段により１つの識別表示が選択されると、制御機へ送信する呼出信号に当該識別表示に係る情報を含める玄関機制御手段とを設けたことを特徴とする。
尚、本願請求項１における「文字」とは、アルファベットや平仮名、片仮名、漢字等に加え、アラビア数字やローマ数字等の数字、記号を含むものとする。
【０００７】
この構成によれば、住戸端末に複数の文字を記憶させ、当該文字から任意の文字又は文字の組み合わせを入力すれば、当該文字の並びがそのまま自身のＩＤとして設定されるとともに、当該ＩＤが制御機へ送信されて、制御機においてもＩＤ設定される。したがって、制御機側と住戸端末側とで夫々ＩＤ設定作業が必要であった従来と比較して、住戸端末側のみでＩＤ設定を行えばよく、ＩＤ設定作業が簡易となるし、ＩＤの設定ミス（ＩＤの入力ミス等により住戸端末と制御機とで設定されたＩＤが不一致となる事態）を確実に防止することができる。また、制御機では、住戸端末で設定されたＩＤを記憶する際、当該ＩＤに対応させて固有の識別表示を作成し、玄関機へ送信する。さらに、玄関機では、識別表示を受信すると、来訪者による呼び出し操作時に識別表示を選択肢の１つとして表示する。そして、来訪者により１つの識別表示が選択されると、制御機において、その識別表示に対応するＩＤを有する住戸端末が識別されて呼び出される。つまり、住戸端末を呼び出すにあたり、来訪者は、表示手段に表示されている識別表示から所望の識別表示を選択するだけで良いため、住戸端末の呼び出し間違い等が起こりにくく、使い勝手が良い。さらに、住戸端末でのＩＤ設定に伴い、玄関機には自動的に識別表示が追加されるため、作業者は、一々玄関機において識別表示を登録する等の必要がなく、作業者側の使い勝手も優れている。
【０００８】
また、上記目的を達成するために、本発明のうち請求項２に記載の発明は、集合住宅のエントランスに設置されて居住者を呼び出すための玄関機と、各住戸に設置されて玄関機からの呼び出しに応答するための居室端末と、各機器間の通信を制御する制御機とからなり、玄関機及び居室端末に表示手段を設けた集合住宅インターホンシステムであって、居室端末に、文字を複数記憶する端末記憶手段と、表示手段に表示された複数の文字から任意の文字又は文字の組み合わせを入力する端末入力手段と、文字を表示手段に表示させるとともに、端末入力手段により入力された文字又は文字の組み合わせにもとづいてＩＤを設定し、端末記憶手段に記憶するとともに、当該ＩＤを制御機へ送信する端末制御手段とを設ける一方、制御機に、受信したＩＤを記憶する制御機記憶手段と、ＩＤを受信すると玄関機へ送信する一方、玄関機からの呼出信号にもとづいて住戸端末を呼び出す制御機制御手段とを設け、玄関機に、ＩＤと識別表示とを対応付けて記憶する玄関機記憶手段と、表示手段に表示された複数の識別表示から１つの識別表示を選択し入力する玄関機入力手段と、受信したＩＤに対応させて識別表示を作成するとともに、呼び出し操作時に識別表示を表示手段に表示し、玄関機入力手段により１つの識別表示が選択されると、当該識別表示に対応するＩＤを制御機へ送信する呼出信号に含める玄関機制御手段とを設けたことを特徴とする。
尚、本願請求項２における「文字」とは、請求項１の「文字」同様、アルファベットや平仮名、片仮名、漢字等に加え、アラビア数字やローマ数字等の数字、記号を含むものとする。
【０００９】
この構成によれば、請求項１に記載の発明同様、制御機側と住戸端末側とで夫々ＩＤ設定作業が必要であった従来と比較して、住戸端末側のみでＩＤ設定を行えばよく、ＩＤ設定作業が簡易となるし、ＩＤの設定ミス（ＩＤの入力ミス等により住戸端末と制御機とで設定されたＩＤが不一致となる事態）を確実に防止することができる。また、玄関機では、制御機を介して受信したＩＤを記憶する際、当該ＩＤに対応させて固有の識別表示を作成し、来訪者による呼び出し操作時に識別表示を選択肢の１つとして表示する。そして、来訪者により１つの識別表示が選択されると、玄関機において、その識別表示に対応するＩＤを有する住戸端末が識別されて呼び出される。つまり、請求項１に記載の発明同様、住戸端末を呼び出すにあたり、来訪者は、表示手段に表示されている識別表示から所望の識別表示を選択するだけで良いため、住戸端末の呼び出し間違い等が起こりにくく、使い勝手が良い。さらに、住戸端末でのＩＤ設定に伴い、玄関機には自動的に識別表示が追加されるため、作業者は、一々玄関機において識別表示を登録する等の必要がなく、作業者側の使い勝手も優れている。
【００１０】
請求項３に記載の発明は、請求項１又は２に記載の発明において、制御機制御手段は、住戸端末からＩＤを受信すると、制御機記憶手段に既に記憶されているＩＤと受信したＩＤとに重複があるか否かを判断するとともに、重複がある場合には受信したＩＤの送信元となる住戸端末へエラー信号を送信する一方、住戸端末に、エラー信号を受信すると、端末入力手段により入力された文字又は文字の組み合わせが既に使用されている旨を報知する報知手段を設けたことを特徴とする。
この構成によれば、住戸端末に設定しようとしたＩＤが既設の住戸端末のＩＤと重複した場合に、作業者に対してエラー報知がなされるため、住戸端末同士でＩＤが重複してしまう事態を確実に防止できる。
【発明の効果】
【００１１】
本発明によれば、制御機側と住戸端末側とで夫々ＩＤ設定作業が必要であった従来と比較して、住戸端末側のみでＩＤ設定を行えばよく、ＩＤ設定作業が簡易となるし、ＩＤの設定ミス（ＩＤの入力ミス等により住戸端末と制御機とで設定されたＩＤが不一致となる事態）を確実に防止することができる。また、住戸端末を呼び出すにあたり、来訪者は、表示手段に表示されている識別表示から所望の識別表示を選択するだけで良いため、住戸端末の呼び出し間違い等が起こりにくく、使い勝手が良い。さらに、住戸端末でのＩＤ設定に伴い、玄関機には自動的に識別表示が追加されるため、作業者は、一々玄関機において識別表示を登録する等の必要がなく、作業者側の使い勝手も優れている。
【図面の簡単な説明】
【００１２】
【図１】集合住宅インターホンシステムを示した説明図である。
【図２】玄関機及び制御機の制御機構を簡略に示したブロック構成図である。
【図３】住戸端末の制御機構を簡略に示したブロック構成図である。
【発明を実施するための形態】
【００１３】
以下、本発明の実施形態について図面をもとに説明する。
集合住宅インターホンシステム１は、集合住宅のエントランス等に設置され、来訪者が居住者を呼び出すための玄関機３と、各住戸に設置され、玄関機３からの呼び出しに応答するための住戸端末５、５・・と、玄関機３及び住戸端末５間に設けられ、玄関機３からの呼び出し時に通話ラインの接続や切り換え等を行う制御機７とを接続してなる。
【００１４】
玄関機３は、住戸端末５を呼び出すためのテンキー等といった入力部１１、住戸端末５との間で通話するためのマイク１３及びスピーカ１５、タッチパネル式モニター１７、タッチパネル式モニター１７に表示する識別表示（後述する）を記憶する記憶部１９、呼出ボタン２１、及び自身の各種動作を制御する玄関機制御部２３を備えている。このような玄関機３では、来訪者がタッチパネル式モニター１７に触れると住戸端末５を呼び出すための入力操作を促す画面が表示される。そして、後述の如く入力部１１及びタッチパネル式モニター１７を用いて呼び出し先が決定され、最終的に呼出ボタン２１が押し込み操作されると、呼び出し先に係る情報を呼出信号に含め、制御機７へ送信するようになっている。尚、２４は、玄関機３を制御機７へ接続するための通信Ｉ／Ｆ回路である。また、図示しないカメラ等も備えており、来訪者を撮像可能となっている。
【００１５】
また、制御機７は、各住戸端末５のＩＤや識別表示等を記憶する記憶部２５、各住戸端末５から受信したＩＤと識別表示とを対応付けるＩＤ変換テーブル２７、玄関機３や住戸端末５を接続するための通信Ｉ／Ｆ回路２９、及び通話ラインの接続動作等の自身の各種動作を制御する制御機制御部３１を備えている。このような制御機７では、玄関機３から呼出信号を受信すると、呼出信号に含まれている情報にもとづき、接続する住戸端末５を選択・決定し、玄関機３と当該住戸端末５とを通話可能に接続するようになっている。
【００１６】
一方、住戸端末５は、玄関機３が撮像した映像を表示したり、制御機７にＩＤを登録したり等するためのタッチパネル式モニター３３、玄関機３との間で通話するためのマイク３５及びスピーカ３７からなる通話部３９、及び図示しない通話ボタン等を備えている。また、住戸端末５には、自身の通話動作や表示動作等の各種動作を制御する端末制御部４１が内蔵されているとともに、設定されたＩＤを記憶する記憶部４５等も内蔵されている。このような住戸端末５では、制御機７を介して玄関機３から呼び出されると、玄関機３が撮像した映像をタッチパネル式モニター３３に表示するとともに、通話ボタンを操作することにより当該呼び出しに応答可能となっている。尚、４７は、住戸端末５を制御機７等に接続するための通信Ｉ／Ｆ回路である。
【００１７】
ここで、本発明の要部となる住戸端末５のＩＤ設定、及び玄関機３から住戸端末５を呼び出す際の呼出制御について詳述する。
まず、各住戸端末５の記憶部４５には、複数の文字ａ１、ａ２・・（ここでは、Ａ〜Ｚのアルファベット及びアラビア数字０〜９）が記憶されており、ＩＤ設定時には図１に示す如くタッチパネル式モニター３３に表示可能となっている。そして、この住戸端末５の電源を投入又は通信Ｉ／Ｆ回路４７を介して制御機７に接続したことをもって、端末制御部４１は、上記文字ａ１、ａ２・・をタッチパネル式モニター３３に表示し、作業者にＩＤの設定を促す。
【００１８】
そこで、作業者は、ＩＤを設定するために、タッチパネル式モニター３３に表示された文字ａ１、ａ２・・から任意の文字を一文字ずつ選択し入力する（たとえば、居住者の名前が山田である場合には、「Ｙ」「Ａ」「Ｍ」「Ａ」「Ｄ」「Ａ」と順に選択し入力する）。すると、端末制御部４１では、入力された「ＹＡＭＡＤＡ」を自身のＩＤとして記憶部４５に記憶するとともに、ＩＤとした「ＹＡＭＡＤＡ」を制御機７へ送信する。尚、ＩＤの設定操作後、たとえば通信Ｉ／Ｆ回路４７が正確に接続されていない等により、制御機７へＩＤを送信できない場合、端末制御部４１は、エラーメッセージ（たとえば、「本機は接続されていません」等で、記憶部４５に予め記憶されている）をタッチパネル式モニター３３に表示する。
【００１９】
制御機７では、住戸端末５からＩＤを受信すると、受信したＩＤと既に記憶部２５に記憶されている他の住戸端末５のＩＤとを比較し、ＩＤの重複がないかを調べ、重複がない場合には、受信したＩＤを記憶部２５に記憶する。また、ＩＤとしての「ＹＡＭＡＤＡ」に対応させて識別表示としての「ＹＡＭＡＤＡ」を作成し、ＩＤ変換テーブル２７にその対応関係を記憶させるとともに、識別表示としての「ＹＡＭＡＤＡ」を玄関機３へ送信する。そして、玄関機３では、制御機７から識別表示を受信すると、当該識別表示を記憶部１９に記憶し、次回以降における呼び出し操作時には、受信した識別表示を選択肢の１つとして新たにタッチパネル式モニター１７に表示するようになる。
【００２０】
一方、制御機７が住戸端末５からＩＤを受信し、その重複を調べた結果、重複があった場合には、ＩＤを送信してきた住戸端末５に対してエラー信号を送信し、ＩＤの変更設定を促す。そして、住戸端末５では、エラー信号を受信すると、端末制御部４１がエラーメッセージ（たとえば、「その名称は既に使用されています」等で、これも記憶部４５に予め記憶されている）を読み出し、タッチパネル式モニター３３に表示するとともに、記憶部４５に記憶されているＩＤを消去し、新たなＩＤの入力を待機する。
【００２１】
以上のようにして住戸端末５のＩＤ設定がなされた集合住宅インターホンシステム１では、来訪者が玄関機３のタッチパネル式モニター１７に触れると、住戸端末５を呼び出すための入力操作を促す画面が表示される。そして、来訪者が入力部１１により「Ｙ」を入力すると、玄関機制御部２３は記憶部２５に記憶されている識別表示のうち「Ｙ」で始まるものを選び出し、タッチパネル式モニター１７に表示する。そこで、来訪者がたとえばタッチパネル式モニター１７上で「ＹＡＭＡＤＡ」を選択し呼出ボタン２１を押し込み操作すると、玄関機制御部２３は識別表示としての「ＹＡＭＡＤＡ」を含む呼出信号を制御機７へ送信する。すると、制御機７では、ＩＤ変換テーブル２７により受信した識別表示としての「ＹＡＭＡＤＡ」をＩＤとしての「ＹＡＭＡＤＡ」に変換し、当該ＩＤが設定されている住戸端末５を呼び出す。
【００２２】
上述したような集合住宅インターホンシステム１によれば、住戸端末５に複数の文字ａ１、ａ２・・を記憶させ、当該文字から任意の文字を順に選択し入力すれば、当該文字の並びがそのまま自身のＩＤとして設定されるとともに、当該ＩＤが制御機７へ送信されて、制御機７においてもＩＤ設定される。したがって、制御機７側と住戸端末５側とで夫々ＩＤ設定作業が必要であった従来と比較して、住戸端末５側のみでＩＤ設定を行えばよく、ＩＤ設定作業が簡易となるし、ＩＤの設定ミス（ＩＤの入力ミス等により住戸端末５と制御機７とで設定されたＩＤが不一致となる事態）を確実に防止することができる。
【００２３】
また、制御機７では、住戸端末５で設定されたＩＤを記憶する際、当該ＩＤに対応させて固有の識別表示を作成し、玄関機３へ送信する。また、玄関機３では、識別表示を受信すると、来訪者による呼び出し操作時に識別表示を選択肢の１つとして表示する。そして、来訪者により１つの識別表示が選択されると、制御機７において、その識別表示に対応するＩＤを有する住戸端末５が識別されて呼び出される。つまり、住戸端末５を呼び出すにあたり、来訪者は、タッチパネル式モニター１７に表示されている識別表示から所望の識別表示を選択するだけで良いため、住戸端末の呼び出し間違い等が起こりにくく、使い勝手が良い。さらに、住戸端末５及び制御機７でのＩＤ設定に伴い、玄関機３には自動的に識別表示が追加されるため、作業者は、一々玄関機３において識別表示を登録する等の必要がなく、作業者側の使い勝手も優れている。
【００２４】
加えて、住戸端末５においてＩＤ設定（すなわち、文字の並びを入力）されると、制御機７において当該ＩＤが既に設定済みの他の住戸端末５のＩＤと重複していないかが確認される。そして、重複している場合には、制御機７から住戸端末５へエラー信号が送信され、住戸端末５においてエラーメッセージを表示する等のＩＤの再設定を促す報知動作が実行される。したがって、住戸端末５、５・・同士でＩＤが重複してしまう事態を確実に防止できる。
【００２５】
なお、本発明に係る集合住宅インターホンシステムは、上記実施形態の態様に何ら限定されるものではなく、玄関機３、住戸端末５、及び制御機７に係る構成を、本発明の趣旨を逸脱しない範囲で、必要に応じて適宜変更することができる。
【００２６】
たとえば、ＩＤ設定時に文字を入力するにあたって、必ずしも複数の文字を入力する必要はなく１文字でもよいし、文字はアルファベットやアラビア数字に限らず、平仮名や片仮名、漢字、ローマ数字、各種記号等であっても何ら問題はない。また、上記実施形態では文字を入力したり識別表示を選択する手段をタッチパネル式モニター１７、３３としているが、タッチパネル式モニターに代えてテンキーや各種キー、スイッチ等を入力手段又は選択手段として設けてもよい。
さらに、ＩＤの重複等のエラーの報知に関し、上記実施形態ではエラーメッセージを表示する構成を採用しているが、ランプの点灯や点滅によりエラーを報知してもよいし、音声を用いたエラー報知を採用することも当然可能である。
加えて、上記実施形態では、識別表示の作成、及び識別表示が入力された際のＩＤ変換を制御機７で行う構成としているが、ＩＤ変換テーブル２７を玄関機３に設ける等することにより、玄関機３にて識別表示の作成等を行うように構成しても何ら問題はない。
【符号の説明】
【００２７】
１・・集合住宅インターホンシステム、３・・玄関機、５・・住戸端末、７・・制御機、１１・・入力部（玄関機入力手段）、１７・・タッチパネル式モニター（表示手段、玄関機入力手段）、１９・・記憶部（玄関機記憶手段）、２３・・玄関機制御部（玄関機制御手段）、２５・・記憶部（制御機記憶手段）、２７・・ＩＤ変換テーブル、３１・・制御機制御部（制御機制御手段）、３３・・タッチパネル式モニター（表示手段、端末入力手段）、４１・・端末制御部（端末制御手段）、４５・・記憶部（端末記憶手段）。
【図１】
2010177937.tif 000003
【図２】
2010177937.tif 000004
【図３】
2010177937.tif 000005